(57)【特許請求の範囲】
【請求項１】
下りリンクコンポーネントキャリアのチャネル状態情報の非周期的報告をユーザ装置に指示する制御情報を送信する送信ユニットと、
前記下りリンクコンポーネントキャリアの数に応じて前記ユーザ装置にリソースを割り当てるリソース割り当てユニットと、を備え、
前記リソース割り当てユニットは、
１つの下りリンクコンポーネントキャリアのチャネル状態情報の非周期的報告を前記ユーザ装置に指示する場合に、前記ユーザ装置に所定の第一数値を最大値とするリソース数を割り当て、
複数の下りリンクコンポーネントキャリアのチャネル状態情報の非周期的報告を前記ユーザ装置に指示する場合に、前記ユーザ装置に前記第一数値より大きい所定の第二数値を最大値とするリソース数を割り当てる、ことを特徴とする基地局。
【請求項２】
前記第一数値は４である、ことを特徴とする請求項１に記載の基地局。
【請求項３】
前記第一数値および前記第二数値はチャネル符号化率に基づいて決定する、ことを特徴とする請求項１に記載の基地局。
【請求項４】
下りリンクコンポーネントキャリアのチャネル状態情報の非周期的報告をユーザ装置に指示し、且つ、前記下りリンクコンポーネントキャリアのインデックス番号と数を指示する指示情報と、符号化変調方式のインデックス番号と、前記ユーザ装置に割り当てるリソースの情報とを含む下りリンク制御情報を生成する情報生成ユニットと、
前記ユーザ装置に前記下りリンク制御情報を送信する情報送信ユニットと、を備え、
前記ユーザ装置にリソースを割り当てるとき、
１つの下りリンクコンポーネントキャリアのチャネル状態情報の非周期的報告を前記ユーザ装置に指示する場合、前記ユーザ装置に割り当てる最大のリソース数は所定の第一数値であり、
複数の下りリンクコンポーネントキャリアのチャネル状態情報の非周期的報告を前記ユーザ装置に指示する場合、前記ユーザ装置に割り当てる最大のリソース数は前記第一数値より大きい所定の第二数値である、ことを特徴とする基地局。
【請求項５】
前記第一数値は４である、ことを特徴とする請求項４に記載の基地局。
【請求項６】
前記第一数値および前記第二数値はチャネル符号化率に基づいて決定する、ことを特徴とする請求項４に記載の基地局。
【請求項７】
ユーザ装置であって、
基地局から送信された、下りリンクコンポーネントキャリアのチャネル状態情報の非周期的報告を前記ユーザ装置に指示し、且つ、前記下りリンクコンポーネントキャリアのインデックス番号と数を指示する指示情報と、符号化変調方式のインデックス番号と、前記割り当てリソースの情報とを含む下りリンク制御情報を受信する受信ユニットと、
前記チャネル状態情報の非周期的報告の指示に基づいて、前記基地局に前記チャネル状態情報を送信する送信ユニットと、を備え、
前記基地局が１つの下りリンクコンポーネントキャリアのチャネル状態情報の非周期的報告を前記ユーザ装置に指示する場合、前記ユーザ装置に割り当てられる最大のリソース数は所定の第一数値であり、
前記基地局が複数の下りリンクコンポーネントキャリアのチャネル状態情報の非周期的報告を前記ユーザ装置に指示する場合、前記ユーザ装置に割り当てられる最大のリソース数は前記第一数値より大きい所定の第二数値である、ことを特徴とするユーザ装置。
【請求項８】
前記第一数値は４である、ことを特徴とする請求項７に記載のユーザ装置。
【請求項９】
前記第一数値および前記第二数値はチャネル符号化率に基づいて前記基地局により決定される、ことを特徴とする請求項７に記載のユーザ装置。
【請求項１０】
ユーザ装置であって、
基地局から送信された、下りリンクコンポーネントキャリアのチャネル状態情報の非周期的報告を前記ユーザ装置に指示する指示情報と、割り当てリソースの情報とを含む制御情報を受信する受信ユニットと、
前記チャネル状態情報の非周期的報告の指示に基づいて、前記基地局に前記チャネル状態情報を送信する送信ユニットと、を備え、
１つの下りリンクコンポーネントキャリアのチャネル状態情報の非周期的報告が指示される場合に、所定の第一数値を最大値とするリソース数が割り当てられ、
複数の下りリンクコンポーネントキャリアのチャネル状態情報の非周期的報告が指示される場合に、前記第一数値より大きい所定の第二数値を最大値とするリソース数が割り当てられる、ことを特徴とするユーザ装置。
【請求項１１】
前記第一数値は４である、ことを特徴とする請求項１０に記載のユーザ装置。
【請求項１２】
前記第一数値および前記第二数値はチャネル符号化率に基づいて前記基地局により決定される、ことを特徴とする請求項１０に記載のユーザ装置。
【発明の詳細な説明】
【技術分野】
【０００１】
本発明は、無線通信分野に関し、特に、リソース割り当て方法、チャネル状態情報の伝送方法、基地局およびユーザ装置に関する。
【背景技術】
【０００２】
ロングタームエボリューションアドバンストシステム（LTE：Long-term  Evolution  System）においては、ユーザ装置（UE  ：User  Equipment）は、下りリンク参照信号を検出することで、下りリンクのチャネル状態情報（CSI：Channel  State  Information）を獲得し、上りリンクを介して基地局に報告する。当該チャネル状態情報CSIは、下りリンクのチャネル質インジケータ（CQI：Channel  Quality  Indicator）を含み、一部の下りリンク伝送モードには、プリコーディング行列インジケータインジケータ（PMI：Precoding  Matrix  Indicator）およびランクインジケータ（RI  ：Rank  Indication）情報も含まれる。前記チャネル状態情報CSI、受信応答ACK/NACK情報およびスケジューリングリクエスト（SR：  Scheduling  Request）は総じて上り制御情報（UCI：Uplink  Control  Information）と称する。上り制御情報UCIは、前記情報の中の１つを含んでもよいし、複数を含んでもよい。基地局は、ユーザ装置UEが報告した上り制御情報UCIに基づいて典型的な変調符号化方法、マルチアンテナ処理およびハイブリッド自動再送要求HARQ等を選択し、適応的にデータの送信を動的に調整する。
【０００３】
現在、上り制御情報UCIの中のチャネル状態情報CSIは、周期的にまたは非周期的に報告することができる。ここで説明しやすいために、周期的に報告するチャネル状態情報CSIを周期的チャネル状態情報CSIと称し、非周期的に報告したチャネル状態情報CSIを非周期的チャネル状態情報CSIと称する。通常、周期的CSIを含む上り制御情報UCIは、物理上りリンク制御チャネル（PUCCH：Physical  Uplink  Control  Channel）で送信する。非周期的チャネル状態情報CSIを含む上り制御情報UCIは、物理上りリンク共有チャネル（PUSCH：Physical  Uplink  Shared  Channel  ）で送信する。また、上りデータ（例えば、UL-SCHデータ：Uplink  Shared  Channelデータ）と共用することもできるし、上りデータのないときに単独で物理上りリンク共有チャネルPUSCHで伝送することもできる。
【０００４】
ユーザ装置UEが非周期的チャネル状態情報CSIを報告する必要のあるときに、以下の方法を採用することができる：基地局がユーザ装置UEに非周期的チャネル状態情報CSIを報告してもらう必要のあるときに、当該基地局は、ユーザ装置UEへ下りリンク制御信令（DCI：Downlink  Control  Information）を送信し、当該下りリンク制御信令DCIを通じて非周期的チャネル状態情報CSIを報告するよう当該ユーザ装置UEに指示し、当該ユーザ装置UEに当該非周期的CSIを報告するために使用する物理上りリンク共有チャネル（PUSCH）リソースを割り当てる；当該ユーザ装置UEは、当該下りリンク制御情報DCIを受信したときに、当該下りリンク制御信令DCIの中で指示したリソースに基づいて、非周期的チャネル状態情報CSIを報告し、且つ当該チャネル状態情報CSIを上り制御情報UCIに含めてPUSCHを介して基地局へ送信する。
【０００５】
LTEシステムにおいては、DCI  format  ０の中の１ビットを使ってユーザ装置UEが非周期的チャネル状態情報CSIを報告することをトリガする。LTE-Aシステム（LTE-A：Advanced  Long-term  Evolution  System）では、システムが複数のコンポーネントキャリア（CC：Component  Carrier）の伝送に対応でき、現在最大５つのコンポーネントキャリアCCに対応できるため、複数の下りリンクコンポーネントキャリアCCの上り制御情報UCIを報告するようユーザ装置UEに柔軟に指示できるために，DCI  format  ０/DCI  format  ４の中の２ビットを使ってユーザ装置UEに非周期的チャネル状態情報CSIを報告させることをトリガし、且つ、報告に相応する下りリンクコンポーネントキャリアCCのインデックス番号および数を指示する。
【０００６】
本発明を実現する中で、発明者は、従来の技術に以下の課題が存在することを発見した：
LTEシステムでは、各ユーザ装置UEには１対の上下りリンクコンポーネントキャリアCCだけが割り当てられる。当ユーザ装置UEは、データのない物理上りリンク共有チャネルPUSCHで非周期的チャネル状態情報CSIを含む上り制御情報UCIを送信するときに、基地局は、当該ユーザ装置UEに最大４つのRBを割り当て、合理的なチャネル符号化率で非周期的チャネル状態情報CSIを含む上り制御情報UCIの正確な受信を保証する。
【０００７】
しかし、LTE-Aシステムでは、コンポーネントキャリア（CC）の数の増加に伴い、上り制御情報UCIの長さも増加する。もし基地局が当該ユーザ装置UEに最大４つのRBを割り当てると、基地局がユーザ装置UEに割り当てる、非周期チャネル状態情報CSIを含む上り制御情報UCIを送信するためのリソースが不足する可能性がある。よって、基地局が当該上り制御情報UCIを正確に受信することは保証できず、基地局のデータの伝送に対するスケジューリング限制が増え、且つ今までまだこれらの課題を解決する方法はない。
【０００８】
注意すべきなのは、上記背景技術に対する紹介は、単に本発明の技術的方案を明瞭且つ完全に説明し、且つ当業者が理解しやすいためのものである。これらの技術的方案が本発明の背景技術の部分で紹介されたことで前記技術方案が当業者に周知されていると判断してはいけない。
【発明の概要】
【発明が解決しようとする課題】
【０００９】
本発明の実施例の目的は、リソース割り当て方法、チャネル状態情報の伝送方法、基地局およびユーザ装置を提供することである。基地局は、ユーザ装置に報告してもらう必要のある非周期的チャネル状態情報CSIに対応する関連下りリンクコンポーネントキャリアの数に基づいてリソースを割り当てることができることにより、リソース割り当て方法を柔軟に適用でき、且つマルチキャリアの状況下における非周期的CSIを含む上り制御情報の伝送に対応することができ、上り制御情報を正確に受信する確率を効果的に高め、データ伝送へのスケジューリング限制を低減することができる。
【課題を解決するための手段】
【００１０】
本発明の実施例の一方面によれば、リソース割り当て方法が提供される。当該方法は、基地局は、関連下りリンクコンポーネントキャリアの非周期的チャネル状態情報CSIをユーザ装置に報告してもらう必要があると決定し；当該基地局は、当該関連下りリンクコンポーネントキャリアの数に基づいて当該ユーザ装置に相応するリソースを割り当てることを含む。
【００１１】
本発明の実施例のもう１つの方面によれば、基地局が提供される。当該基地局は、
関連下りリンクコンポーネントキャリアの非周期的チャネル状態情報CSIをユーザ装置に報告してもらう必要があると決定する第一決定ユニットと、
当該関連下りリンクコンポーネントキャリアの数に基づいて当該ユーザ装置に相応するリソースを割り当てるリソース割り当てユニットと、を備える。
【００１２】
本発明の実施例のもう１つの方面によれば、上り制御情報の伝送方法が提供される。当該方法は、
基地局が下りリンク制御情報を生成し、当該下りリンク制御情報は、関連下りリンクコンポーネントキャリアの非周期的チャネル状態情報を報告するか否かをユーザ装置に指示し、且つ、関連下りリンクコンポーネントキャリアの非周期的チャネル状態情報を報告するときに、当該関連下りリンクコンポーネントキャリアのインデックス番号と数を指示する指示情報と、符号化変調方式のインデックス番号と使用するリソースを含む；ここで、使用するリソースは当該基地局が当該関連下りリンクコンポーネントキャリアの数に基づいて当該ユーザ装置に割り当てたリソースであり；
当該基地局は、当該ユーザ装置に下りリンク制御情報を送信し、当該ユーザ装置は、当該下りリンク制御情報に含まれる指示情報、符号化変調方式インデックス番号および使用するリソースに基づいて非周期的チャネル状態情報を送信する、ことを含む。
【００１３】
本発明の実施例のもう１つの方面によれば、チャネル状態情報の伝送方法が提供される。当該方法は、
ユーザ装置は基地局から送信された下りリンク制御情報を受信し、当該下りリンク制御情報は、関連下りリンクコンポーネントキャリアの非周期的チャネル状態情報を報告するか否かをユーザ装置に指示し、且つ、関連下りリンクコンポーネントキャリアの非周期的チャネル状態情報を報告するときに、当該関連下りリンクコンポーネントキャリアのインデックス番号と数をユーザ装置に指示する指示情報と、符号化変調方式のインデックス番号と、使用するリソースを含む；ここで、使用するリソースは、当該基地局が当該関連下りリンクコンポーネントキャリアの数に基づいて当該ユーザ装置に割り当てたリソースであり；
当該ユーザ装置は、当該下りリンク制御情報に含まれる指示情報、符号化変調方式インデックス番号および使用するリソースに基づいて非周期的チャネル状態情報を送信する、ことを含む。
【００１４】
本発明の実施例のもう１つの方面によれば、基地局が提供される。当該基地局は、情報生成ユニットと第一情報送信ユニットを備える。
【００１５】
情報生成ユニットは、下りリンク制御情報を生成する。当該下りリンク制御情報は、関連下りリンクコンポーネントキャリアの非周期的チャネル状態情報を報告するか否かをユーザ装置に指示し、且つ、関連下りリンクコンポーネントキャリアの非周期的チャネル状態情報を報告するときに、当該関連下りリンクコンポーネントキャリアのインデックス番号と数を指示する指示情報と、符号化変調方式のインデックス番号と、使用するリソースを含む；ここで、使用するリソースは当該基地局が当該関連下りリンクコンポーネントキャリアの数に基づいて当該ユーザ装置に割り当てたリソースである。
【００１６】
第一情報送信ユニットは、当該ユーザ装置に当該下りリンク制御情報を送信し、当該ユーザ装置は、当該下りリンク制御情報の中に含まれる指示情報、符号化変調方式インデックス番号および使用するリソースに基づいて非周期的チャネル状態情報を送信する。
【００１７】
本発明の実施例のもう１つの方面によれば、ユーザ装置が提供される。当該ユーザ装置は、情報受信ユニットと第二情報送信ユニットとを備える。
【００１８】
当該情報受信ユニットは、基地局から送信される下りリンク制御情報を受信する。当該下りリンク制御情報は、関連下りリンクコンポーネントキャリアの非周期的チャネル状態情報を報告するか否かをユーザ装置に指示し、且つ、関連下りリンクコンポーネントキャリアの非周期的チャネル状態情報を報告するときに、当該関連下りリンクコンポーネントキャリアのインデックス番号と数を指示する指示情報と、符号化変調方式のインデックス番号と、使用するリソースを含む；ここで、使用するリソースは当該基地局が当該関連下りリンクコンポーネントキャリアの数に基づいて当該ユーザ装置に割り当てたリソースである。
【００１９】
当該第二情報送信ユニットは、当該下りリンク制御情報の中に含まれる指示情報、符号化変調方式インデックス番号および使用するリソースに基づいて非周期的チャネル状態情報を送信する。
【００２０】
本発明の実施例のもう１つの方面によれば、コンピュータ読み取り可能なプログラムを記憶させた記録媒体が提供される。当該コンピュータ読み取り可能なプログラムはコンピュータに基地局で上述したリソース割り当て方法を実行させる。
【００２１】
本発明の実施例のもう１つの方面によれば、コンピュータ読み取り可能なプログラムが提供される。基地局で当該プログラムを実行するときに、当該プログラムはコンピュータに当該基地局で上述したチャネル状態情報の伝送方法を実行させる。
【００２２】
本発明の実施例のもう１つの方面によれば、コンピュータ読み取り可能なプログラムを記憶させた記録媒体が提供される。当該コンピュータ読み取り可能なプログラムはコンピュータに基地局で上述したチャネル状態情報の伝送方法を実行させる。
【００２３】
本発明の実施例のもう１つの方面によれば、コンピュータ読み取り可能なプログラムが提供される。ユーザ装置で当該プログラムを実行するときに、当該プログラムはコンピュータに当該ユーザ装置で上述したチャネル状態情報の伝送方法を実行させる。
【００２４】
発明の実施例のもう１つの方面によれば、コンピュータ読み取り可能なプログラムを記憶させた記録媒体が提供される。当該コンピュータ読み取り可能なプログラムはコンピュータにユーザ装置で上述したチャネル状態情報の伝送方法を実行させる。
【００２５】
本発明の実施例の有益な効果は、基地局は、ユーザ装置に報告してもらう必要のある非周期的チャネル状態情報に対応する関連下りリンクコンポーネントキャリアの数に基づいてリソースを割り当てることにより、リソース割り当て方式を柔軟に適用することができ、且つ、マルチキャリア状況下での上り制御情報の伝送に対応でき、上り制御情報を正確に受信する確率を効果的に高め、データ伝送へのスケジューリング限制を減らすことができる。
【００２６】
後述する説明と図面は、本発明の特定の実施形態を詳細に開示しており、本発明の原理が採用される形態を明確に示しているが、本発明の実施形態の範囲はこれに限定されず、添付の請求の範囲の要旨と範囲内に本発明に対する様々な変更、改善又は均等物を設計することができるものと認めるべきである。
【００２７】
１つの実施形態について記載および/または図示した特徴は同一または類似の方法で１つまたは複数の他の実施形態で使用することができ、また、その他の実施形態の中の特徴と組合せ、または他の実施形態の特徴を代替することもできる。
【００２８】
強調すべきなのは、用語「含む/備える」は、本明細書において特徴、要素、ステップまたはモジュールの存在を表し、１つまたは複数の他の特徴、要素、ステップまたはモジュールの存在または付加を排除しない。
【図面の簡単な説明】
【００２９】
図面による本発明に対する以下の説明を参照すると、本発明の上記及び他の目的、特徴、利点がより明らかになるであろう。
【図１】本発明の実施例１のリソース割り当て方法のフローチャートである；
【図２】本発明の実施例２の基地局の構成を示す概略図である；
【図３】本発明の実施例２のリソース割り当てユニットの構成を示す概略図である；
【図４】本発明の実施例３の上り制御情報の伝送方法のフローチャートである；
【図５】本発明の実施例４の基地局の構成を示す概略図である；
【図６】本発明の実施例５の上り制御情報の伝送方法のフローチャートである；
【図７】本発明の実施例５のステップ６０２を実現するためのフローチャートである；
【図８】本発明の実施例５のステップ７０３を実現するためのフローチャートである；
【図９】本発明の実施例６のユーザ装置の構成を示す概略図である；
【図１０】図９の第二情報送信ユニットの構成を示す概略図である；
【図１１】図１０の第二判断ユニットの構成を示す概略図である；
【図１２】本発明の実施例７の基地局側の上り制御情報の伝送方法のフローチャートである；
【図１３】本発明の実施例７のユーザ装置側の上り制御情報の伝送方法のフローチャートである。
【発明を実施するための形態】
【００３０】
以下、図面を参照しながら対本発明の各実施形態について説明する。これらの実施形態は単に例示的なものであり、本発明を限制するものではない。当業者が発明の原理と実施形態を理解しやすいために、本発明の実施形態は、１０MHzのブロードバンドでのLTE-A（LTE-A：Long  Term  Evaluation  Advanced）システムを例に説明するが、本発明は前記システムに限定されず、マルチキャリアの非周期的チャネル状態情報伝送に係る他のシステムにも適用できることが理解されるところである。
【００３１】
図１は、本発明の実施例１のリソース割り当て方法のフローチャートである。図１に示されたように、当該方法は、
基地局は、関連下りリンクコンポーネントキャリアCCの非周期的チャネル状態情報CSIをユーザ装置に報告してもらう必要があると決定するステップ１０１と、
当該基地局は、当該関連下りリンクコンポーネントキャリアCCの数に基づいて当該ユーザ装置に相応するリソースを割り当てるステップ１０２と、を含む。
【００３２】
前記実施例から明らかなように、基地局は、ユーザ装置に報告してもらう必要のある非周期的チャネル状態情報CSIに対応する関連下りリンクコンポーネントキャリアの数に基づいてリソースを割り当てることにより、リソースの割り当てを柔軟に行うことができ、且つマルチキャリアの状況下での上り制御情報の伝送に対応できるため、従来技術にある課題を解決することができる。
【００３３】
本実施例では、当該非周期的チャネル状態情報CSは、チャネル品質指示CQIを含むことができる。一部の下りリンク伝送モードについては、プリコーディング行列インジケータインジケータPMIとランクインジケータRI情報をさらに含むことができる。
【００３４】
本実施例では、当該非周期的チャネル状態情報CSIを上り制御情報UCIに含んでPUSCHを介して基地局に送信することができる。また、ACK/NACK情報も当該チャネル状態情報CSIと一緒に当該上り制御情報UCIに含まれ、PUSCHを介して基地局へ送信することができる。当該ACK/NACK情報と当該非周期的チャネル状態情報CSIを一緒に送信するかについては、従来技術と類似するため、ここでは、詳細な説明を省略する。このようにして、当該基地局は、ユーザ装置UEが報告した上り制御情報UCIに基づいて典型的な変調符号化方案、マルチアンテナ処理およびHARQの過程等を選択し、適応的にデータの送信を動的に調整することができる。
【００３５】
本実施例では、当該関連下りリンクコンポーネントキャリアCCの数は、１つまたは１つ以上であってもよい。基地局は、当該関連下りリンクコンポーネントキャリアCCの数に基づいて当該ユーザ装置UEにリソースを割り当てる。
【００３６】
本実施例では、当該基地局は、当該関連下りリンクコンポーネントキャリアの数に基づいて当該ユーザ装置に相応するリソースを割り当てるときに、以下の方法を採用することができる：
もし当該基地局は、１つの下りリンクコンポーネントキャリアCCの非周期的チャネル状態情報CSIをユーザ装置UEに報告してもらう必要があると決定すると、当該基地局は、当該ユーザ装置UEに割り当てるリソース（RB）の数の最大値は所定の第一数値L１となる；もし当該基地局は、１つの以上の下りリンクコンポーネントキャリアCCの非周期的チャネル状態情報CSIをユーザ装置UEに報告してもらう必要があると決定すると、当該基地局が当該ユーザ装置UEに割り当てるリソース（RB）の数の最大値は所定の第二数値L２となる。
【００３７】
ここで、当該第二数値L２は第一数値L１より大きい。チャネル符号化率（CCR：Channel  Coding  Rate）に基づいて当該第一数値L１と第二数値L２を決定する。当該第一数値L１と第二数値L２を決定するにより、チャネル符号化率CCRを所定の範囲にすることができる。もちろん、一部のケースでは、前記第一数値L１と第二数値L２を採用するとチャネル符号化率CCRに当該合理的な範囲を超えさせてしまう可能性があるが、このような状況は極めて少ないため、通常前記第一数値L１と第二数値L２が合理的であると思われる。
【００３８】
以下、それぞれ１つの下りリンクコンポーネントキャリアCCと２つ下りリンクコンポーネントキャリアCCを例として前記第一数値L１と第二数値L２について説明する。
【００３９】
１つの下りリンクコンポーネントキャリアCCのときに、LTEシステムと同様に、もし予め設定したチャネル符号化率CCRは三分の一より小さければ、当該第一数値L１は最大４であり、即ち、基地局は最大ユーザ装置UEに４つのRBを割り当てれば、チャネル符号化率CCRを合理的範囲にすることができる。
【００４０】
複数の下りリンクコンポーネントキャリアCCであるときに、２つの下りリンクコンポーネントキャリアを例とすると、もし予め設定した符号化率CCRは依然として三分の一であれば、当該第二数値L２は４より大きい任意の値である。但し、本実施例では、システムの中の他のデータまたは情報の正常な伝送に影響を及ぼさないために、当該非周期的チャネル状態情報CSIを上り制御情報UCIに含んで伝送するときに、基地局が上り制御情報UCIを正常に受信することを保証できれば、当該第二数値L２をできるだけ小さくすべきである。
【００４１】
表１には、下りリンクコンポーネントキャリアが２つであり、割り当てられるリソースの数が４であるときに、三種類の典型的な非周期的チャネル状態情報CSIビット長さ（即ち、ペイロードが１００、１３６、１４４である）の状態において、各種の上り制御情報およびサウンディング参照信号（SRS）を伝送するときに対応するチャネル符号化率CCRの数値が示されている。表２には、下りリンクコンポーネントキャリアが２つであり、且つ割り当てられるリソース数が５であるときに、三種類の典型的な非周期的チャネル状態情報CSIビット長さの状態において、各種の上り制御情報およびサウンディング参照信号（SRS）を伝送するときに対応するチャネル符号化率CCRの数値が示されている。表３には、下りリンクコンポーネントキャリアが２つであり、且つ割り当てられるリソース数が６であるときに、三種類の典型的な非周期的チャネル状態情報CSIビット長さの状態において、各種の上り制御情報およびサウンディング参照信号（SRS）を伝送するときに対応するチャネル符号化率CCRの数値が示されている。
【００４２】
表１から明らかなように、下りリンクコンポーネントキャリアCCの数が２つであるときに、もし依然として４つのRBを割り当てると、非周期的CSIペイロード=１３６と１４４であるときに、CQI+A/N+RI、またはCQI+A/N+SRS+RIを伝送するときに、符号化率CCRは所定の範囲を超えた。非周期的CSIペイロード=１００であるときに、CQI+A/N+SRS+RIを伝送するときに、符号化率CCRは所定の範囲を超えた。この場合、基地局が正確に当該上り制御情報UCIを受信することは保証されない。
【表１】
0006024818.tif 000002
【表２】
0006024818.tif 000003
【表３】
0006024818.tif 000004
【００４３】
前記表２から明らかなように、もしRB=５であれば、非周期的CSIペイロード=１３６とCP=１４４で、且つCQI+A/N+SRS+RIを伝送する場合のみ、チャネル符号化率CCRが所定の範囲を超えたが、CQI+A/N+SRS+RIを伝送するケースが比較的に少ないことを考慮すると、RB=５は合理的な数値と見られる。
【００４４】
前記表３から明らかなように、もしRB=６であれば、チャネル符号化率CCRは全て所定の範囲内にある。前記から明らかなように、割り当てられるリソースの数を決定するときに、チャネル符号化率CCRを合理的範囲にするとともに、リソースの数をできるだけ小さくすることも考慮する必要がある。このようにして他のリソースの伝送への影響を軽減することができる。経験によれば、２つのCCの場合、第二数値L２が最大５または６であるときに一番好ましい。
【００４５】
以上、２つのCCの状況について説明したが、２つのCCより大きい場合、第二数値L２を決定する方法は前記と同様である。また、チャネル符号化率の計算方法については従来の計算方法を採用することができるため、ここでは、詳細な説明を省略する。
【００４６】
前記実施例から明らかなように、基地局は、ユーザ装置に報告してもらう必要のある非周期的チャネル状態情報CSIに対応する関連下りリンクコンポーネントキャリアの数に基づいてリソースを割り当てることができ、リソースの割り当てを柔軟に行うことができ、且つマルチキャリアの状況下でのチャネル状態情報の伝送に対応できるため、従来技術にある課題を解決することができる。
【００４７】
上述した実施例の方法の全部または一部のステップは、プログラムを介して関連のハードウェアを命令して実現させることができ、前記プログラムがコンピュータ読み取り可能な記録媒体に記録され、当該プログラムを実行するときに、上記の実施例の方法の全部または一部のステップを含むことができ、前記記録媒体は、ROM、RAM、磁気ディスク、光ディスクを含むことは、当業者に理解されるところである。
【００４８】
本発明の実施例によれば、下記の実施例２のように基地局が提供される。当該基地局が課題を解決する原理は前記基地局によるリソース割り当て方法と同様であり、当該基地局の実施は方法の実施を参照することができるため、重複部分の説明は省略する。
【００４９】
図２は、本発明の実施例２の基地局の構成を示す概略図である。図２に示されたように、当該基地局は、第一決定ユニット２０１とリソース割り当てユニット２０２を備える。
【００５０】
第一決定ユニット２０１は、関連下りリンクコンポーネントキャリアの非周期的チャネル状態情報CSIをユーザ装置に報告してもらう必要があると決定する。リソース割り当てユニット２０２は、関連下りリンクコンポーネントキャリアの数に基づいてユーザ装置に相応するリソースを割り当てる。
【００５１】
図３は、図２のリソース割り当てユニットの構成を示す概略図である。図３に示されたように、リソース割り当てユニット２０２は、第一リソース割り当てユニット３０１と第二リソース割り当てユニット３０２を含むことができる。第一リソース割り当てユニット３０１は、第一決定ユニット２０１で１つの下りリンクコンポーネントキャリアの非周期的チャネル状態情報CSIをユーザ装置に報告してもらう必要があると決定したときに、ユーザ装置に割り当てる最大のリソースの数は所定の第一数値L１となる；
第二リソース割り当てユニット３０２は、第一決定ユニット２０１で１つの以上の下りリンクコンポーネントキャリアの非周期的チャネル状態情報CSIをユーザ装置に報告してもらう必要があると決定されたときに、ユーザ装置に割り当てる最大のリソースの数は所定の第二数値L２となる。
【００５２】
ここで、第二数値L２は第一数値L１より大きい。また、チャネル符号化率CCRに基づいて第一数値L１と第二数値L２を決定する。
【００５３】
本実施例では、第一数値L１と第二数値L２を決定する方法は実施例１と同じであるため、ここでは、詳細な説明を省略する。
【００５４】
前記実施例から明らかなように、基地局は、ユーザ装置に報告してもらう必要のある非周期的CSI情報に対応する関連下りリンクコンポーネントキャリアの数に基づいてリソースを割り当てるため、リソースの割り当てを柔軟に行うことができ、且つマルチキャリアの状況下での情報の伝送に対応でき、従来技術にある課題を解決することができる。
【００５５】
図４は、本発明の実施例３の上り制御情報の伝送方法のフローチャートである。図４に示されたように、当該方法は、ステップ４０１とステップ４０２を含む。
【００５６】
ステップ４０１では、基地局は、下りリンク制御情報DCIを生成する。当該下りリンク制御情報DCIは、関連下りリンクコンポーネントキャリアCCの非周期的チャネル状態情報CSIを報告するか否かをユーザ装置UEに指示し、且つ、関連下りリンクコンポーネントキャリアCCの非周期的チャネル状態情報CSIを報告するときに、当該関連下りリンクコンポーネントキャリアCCのインデックス番号と数を指示する指示情報、符号化変調方式(MCS)インデックス番号および使用するリソースRBを含む。ここで、使用するリソースRBは、当該基地局が当該関連下りリンクコンポーネントキャリアの数に基づいて当該ユーザ装置に割り当てたリソースである。
【００５７】
ステップ４０２では、当該基地局は当該ユーザ装置UEに当該下りリンク制御情報DCIを送信し、当該ユーザ装置UEは、当該下りリンク制御情報DCIに含まれる指示情報、符号化変調方式インデックス番号および使用するリソースに基づいて非周期的チャネル状態情報CSIの送信を行う。
【００５８】
本実施例では、ステップ４０１で、基地局は、関連下りリンクコンポーネントキャリア的非周期チャネル状態情報CSIをユーザ装置UEに報告してもらう必要があると決定したときに、伝送モードとシステムの要求に基づいて当該下りリンク制御情報DCIを生成し、チャネル状態情報UCIを報告するようユーザ装置UEに指示する。ここで、下りリンク制御情報DCIを生成するときに、基地局は、関連下りリンクコンポーネントキャリアCCの数に基づいて当該ユーザ装置UEに、使用するリソースを割り当てる。また、予め設定した指示情報と下りリンクコンポーネントキャリアCCの集合との対応関係に基づいて相応する指示情報、および所定の符号化方式調整インデックス番号を選択することができる。
【００５９】
本実施例では、当該下りリンク制御情報DCIを生成する方法は、従来の方法を採用することができるため、ここでは、詳細な説明を省略する。また、基地局が関連下りリンクコンポーネントキャリアCCの数に基づいてユーザ装置UEに相応するリソースを割り当てる方法は実施例１で説明されたため、ここでは、詳細な説明を省略する。
【００６０】
本実施例では、ステップ１０１で生成された下りリンク制御情報DCIは、物理下りリンク制御チャネルPDCCHで伝送されることができる。この場合、DCI  format  ０またはDCI  format  ４の中のビット情報で伝送することができる。
【００６１】
表４は、本発明の実施例のLTE-AシステムにおけるDCI  format  ０の伝達情報および長さを示している。図５は、本発明の実施例のLTE-AシステムにおけるDCI  format  ４の伝達情報および長さを示している。
【表４】
0006024818.tif 000005
【表５】
0006024818.tif 000006
【００６２】
ここで、表４または表５の中の２ビットの“CQIリクエスト”を用いて前記指示情報を伝送することができる。従って、対応する状態は“００”、“０１”、“１０”、“１１”であっても良い。それぞれ前記四種類の状態を使用して非周期的チャネル状態情報CSIを報告するか否かを指示し、且つ、非周期的チャネル状態情報CSIを報告することを指示するときに、異なる下りリンクコンポーネントキャリアの集合を指示する。
【００６３】
例えば、２bitが“００”であるときに、非周期的チャネル状態情報CSIを報告しないと指示することができる。PUSCHだけで上りデータを伝送する。２bitが“０１/１０”であるときに、非周期的CSIを報告すると指示することができる。当該下りリンクコンポーネントキャリアCCの集合に含まれる下りリンクコンポーネントキャリアCCの数が１である；２bitが“１１”であるときに、非周期的チャネル状態情報CSIを報告すると指示することができる。当該下りリンクコンポーネントキャリアCCの集合に含まれる下りリンクコンポーネントキャリアCCの数が１つ以上、例えば２つのCCである場合、さらに各コンポーネントキャリアCCのインデックス番号を指示する。このような対応関係は、基地局側でハイレイヤーシグナルを介して設定し、且つ、当該対応関係を保持して下りリンク制御情報を生成するときに、基地局の使用に供する。前記指示方式は単に本発明の実施例であり、具体的な状況に応じて前記指示情報を設定することができる。
【００６４】
本実施例では、当該非周期的CSIを上り制御情報の中に含んでPUSCHを介して基地局に伝送するときに、PUSCHで伝送され非周期的CSIを含む上り制御情報UCIは：１）当該上り制御情報UCIが単独でPUSCHで伝送される（CQI-only  PUSCH）、即ち、当該非周期的CSIを伝送するときに上りデータを伝送しない場合の上り制御情報UCIと；２）当該上り制御情報UCIと上りデータを一緒にPUSCHで伝送される、即ち、当該非周期的CSIを伝送するときに上りデータをも伝送する場合の上り制御情報UCI、に分けることができる。ここでは、当該指示情報と、変調符号化方式と使用するリソースの数との特定の組合せに基づいてどの方式を採用して当該上り制御情報を伝送するかを判断することができる。その詳細は実施例５で詳しく説明する。
【００６５】
本実施例では、基地局は、予め当該ユーザ装置UEに複数組の関連下りリンクコンポーネントキャリアCCの集合を設定する必要がある。また、当該集合と、指示情報、例えばDCI  format  ０/４の中の２bit情報とを対応付けて保持し、さらに当該対応関係をもユーザ装置UE側で保持することで、ユーザ装置UEは、指示情報に基づいて非周期的CSIを送信するかを判断し、且つ、非周期的CSIを送信するときに、関連下りリンクコンポーネントキャリアCCの数とインデックス番号（Index）を決定する。
【００６６】
本実施例では、基地局は、非周期的チャネル状態情報CSIを報告する必要のあるユーザ装置UEにDCIを生成する前に、当該方法は、さらに
当該基地局は、当該ユーザ装置UEに複数組の関連下りリンクコンポーネントキャリアCCの集合を設定し；当該指示情報と当該複数組の関連下りリンクコンポーネントキャリアCCの集合を対応付けて保持し；且つ、
当該基地局は、当該下りリンク制御情報DCIを生成するときに、当該関連下りリンクコンポーネントキャリアCCのインデックス番号と数に基づいて相応する指示情報を選択することを含む。
【００６７】
例えば、当該非周期的チャネル状態情報CSIを上り制御情報UCIに含んで伝送することを例として説明する。表６と表７は、それぞれ本発明の実施例の基地局がハイレイヤーシグナルを通じて設定した指示情報と、複数組の関連下りリンクコンポーネントキャリアCCの集合との対応関係表である。但し、表６と表７は単に本発明の実施例であり、本発明は、このような対応関係に限定されず、基地局は実際の状況に応じて設定することができる。
【表６】
0006024818.tif 000007
【表７】
0006024818.tif 000008
【００６８】
前記から明らかなように、基地局が表７に示された対応関係表を設定し，且つユーザ装置側にも当該対応関係表を保持する。例えば、当基地局は、ユーザ装置UEにシステムが設定した全ての下りリンクコンポーネントキャリアCCのチャネル状態情報CSIを報告してもらう必要があることを知った場合に、且つ当該チャネル状態情報CSIが上り制御情報UCIに含まれて伝送されるときに、当該基地局は、表７から対応する指示情報が“１１”であることを知り、“１１”をDCIの中の“CQIリクエスト”で伝送する。このようにして、ユーザ装置UEがDCIを受信したときに、DCIの中から当該指示情報“１１”を読み取ることができ、且つ、表７に基づいて、システムが設定した全ての下りリンクコンポーネントキャリアの非周期的チャネル状態情報CSIを含む上り制御情報UCIを報告する。
【００６９】
本発明の実施例では、当該関連下りリンクコンポーネントキャリアCCの集合において、当該関連下りリンクコンポーネントキャリアCCの数が１つであるときに、表６と表７の“０１”に対応する状況のように、当該関連下りリンクコンポーネントキャリアCCは、システム情報ブロック（SIB-２：System  Information  Block-２）を通じて、上り制御情報UCIを伝送するPUSCHの上りコンポーネントキャリアCCとペアになるように設定した下りリンクコンポーネントキャリアCCであっても良い。また、当該関連下りリンクコンポーネントキャリアCCは、システム情報（SIB-２）のリンクを通じて、当該非周期CSIを伝送するPUSCHの上りコンポーネントキャリアCCに対応する下りリンクコンポーネントキャリアCCでなくても良い、例えば表６の“１０”に対応する状況である。
【００７０】
例えば、上りコンポーネントキャリア（UL  CC）にUL  CC  #１、UL  CC  #２を設定し、下りリンクコンポーネントキャリアCCにDL  CC  #１、DL  CC  #２とDL  CC#３を設定する。ここで、UL  CC  #１とDL  CC#１は、システム情報（SIB-２）リンク（link）関係である。UL  CC  #２とDL  CC#３は、システム情報（SIB-２）リンク（link）関係である。但し、DL  CC#２はシステム情報（SIB-２）リンク（link）のUL  CCを有しない。DL  CC#２の上り制御情報UCIは、UL  CC  #１またはUL  CC#２を通じて伝送することができる。例えば、DCI  format  ０はUL  CC#１のPUSCHをスケジューリングするのであれば、当該DCI  format  ０の中の指示情報は‘１０’であるときに、UL  CC#１のPUSCHでDL  CC#２の非周期的CSIを送信することを意味する。
【００７１】
本実施例では、当該関連下りリンクコンポーネントキャリアCCの集合において、当該関連下りリンクコンポーネントキャリアCCの数が１つの以上であるときに、当該関連下りリンクコンポーネントキャリアCCは、設定またはアクティブされた１つ以上の下りリンクコンポーネントキャリアCCであっても良い。即ち、表７の“１１”に対応する状況である。或いは、他の下りリンクコンポーネントキャリアCC、例えば表６の“１１”と表７の“１０”に対応する状況であっても良い。
【００７２】
前記実施例から明らかなように、基地局は、ユーザ装置に報告してもらう必要のある非周期的チャネル状態情報CSIに対応する関連下りリンクコンポーネントキャリアの数に基づいてリソースを割り当てることができるため、リソースの割り当てを柔軟に行うことができ、且つマルチキャリアの状況下での上り制御情報の伝送に対応でき、従来技術にある課題を解決することができる。また、ユーザ装置は、基地局が下りリンクコンポーネントキャリアの数に基づいて割り当てたリソースを利用して当該非周期的CSIを含む上り制御情報を伝送するときに、基地局が受信した情報の正確さを保証することができ、且つデータ伝送に対するスケジューリング限制を低減することができる。
【００７３】
本発明の実施例によれば、実施例４のように基地局が提供される。当該基地局が課題を解決する原理は前記実施例３の基地局によるリソース割り当て方法と同様であり、当該基地局の実施は方法の実施を参照することができるため、重複部分の説明は省略する。
【００７４】
図５は、本発明の実施例４の基地局の構成を示す概略図である。図４に示されたように、当該基地局は、情報生成ユニット５０１と第一情報送信ユニット５０２を含む。
【００７５】
情報生成ユニット５０１は、下りリンク制御情報DCIを生成する。当該下りリンク制御情報は、関連下りリンクコンポーネントキャリアCCの非周期的チャネル状態情報CSIを報告するか否かをユーザ装置UEに指示し、且つ、関連下りリンクコンポーネントキャリアCCの非周期的チャネル状態情報CSIを報告するときに関連下りリンクコンポーネントキャリアCCのインデックス番号と数を指示する指示情報、符号化変調方式(MCS)インデックス番号および使用するリソースRBを含む。ここで、使用するリソースRBは、基地局が関連下りリンクコンポーネントキャリアCCの数に基づいてユーザ装置UEに割り当てたリソースである。
【００７６】
第一情報送信ユニット５０２は、ユーザ装置UEへ下りリンク制御情報DCIを送信し、当該ユーザ装置UEは、下りリンク制御情報DCIに含まれる指示情報、符号化変調方式インデックス番号および使用するリソースに基づいて非周期的チャネル状態情報CSIを送信する。
【００７７】
本実施例では、情報生成ユニット５０１は、関連下りリンクコンポーネントキャリアCCの非周期的チャネル状態情報CSIをユーザ装置に報告してもらう必要があると決定するときに、伝送モードとシステムの要求に基づいて、当該下りリンク制御情報DCIを生成して、非周期的CSIを報告するようユーザ装置UEに指示する。ここで、生成した下りリンク制御情報DCIには、使用するリソースは、基地局が関連下りリンクコンポーネントキャリアCCの数に基づいて当該ユーザ装置UEに割り当てたリソースである。
【００７８】
本実施例では、DCIを採用してPUCCHの中で当該下りリンク制御情報DCIを伝送することができる。ここで、当該指示情報は、DCI  format  ０または４の中の２bit“CQIリクエスト”を採用して伝送することができる。具体的には実施例３を参照でき、ここでは、詳細な説明を省略する。
【００７９】
本実施例では、基地局は、リソース割り当てユニット５０３をさらに含む。当該リソース割り当てユニット５０３は、関連下りリンクコンポーネントキャリアCCの数に基づいてユーザ装置UEに、相応するリソースを割り当てる。具体的には、当該リソース割り当てユニット５０３は、第一リソース割り当てユニットと第二リソース割り当てユニット（図示せず、図３の中の３０１と３０２に類似する）を含むことができる。ここで、第一リソース割り当てユニットは、１つの下りリンクコンポーネントキャリアの非周期的チャネル状態情報CSIをユーザ装置に報告してもらう必要があるときに，ユーザ装置UEに割り当てた最大のリソースの数は、所定の第一数値L１となる；第二リソース割り当てユニットは、１つの以上の下りリンクコンポーネントキャリアの非周期的チャネル状態情報CSIをユーザ装置UEに報告してもらう必要があるときに、ユーザ装置UEに割り当てた最大のリソースの数は、所定の第二数値L２となる；ここで、第二数値L２は第一数値L１より大きく、且つ、チャネル符号化率CCRに基づいて第一数値L１と第二数値L２を決定する。L１とL２を決定する具体的な例は、実施例１で説明したため、ここでは、詳細な説明を省略する。
【００８０】
また、図５に示されたように、当該基地局は、割り当てユニット５０５と記録ユニット５０６をさらに含む；ここで、割り当てユニット５０５は、ユーザ装置UEに複数組の関連下りリンクコンポーネントキャリアCCの集合を割り当てる；基地局は、ハイレイヤーシグナルを介して、RRCのように割り当てることができる；記録ユニット５０６は、表６と表７に示されたように、指示情報と複数組の関連下りリンクコンポーネントキャリアCCの集合とを対応付けして保持する。
【００８１】
このようにして、情報生成ユニット５０１は、下りリンク制御情報DCIを生成するときに、当該関連下りリンクコンポーネントキャリアCCのインデックス番号と数に基づいて相応する指示情報を選択する。
【００８２】
前記実施例から明らかなように、情報生成ユニット５０１は、関連下りリンクコンポーネントキャリアCCの非周期的チャネル状態情報をユーザ装置に報告してもらう必要があると決定したときに、実際の状況に基づいて相応する指示情報、符号化変調方式と使用するリソースを選択し、下りリンク制御情報DCIを生成し、当該情報をユーザ装置に送信する。基地局は、下りリンクコンポーネントキャリアの数に基づいてリソースを割り当てることができるため、リソースの割り当てを柔軟に行うことができ、且つマルチキャリアの状況下での上り制御情報の伝送に対応できる。
【００８３】
図６は、本発明の実施例５の上り制御情報の伝送方法のフローチャートである。図６に示されたように、当該方法は、ステップ６０１とステップ６０２を含む。
【００８４】
ステップ６０１では、ユーザ装置UEは、基地局から送信される下りリンク制御情報DCIを受信し、当該下りリンク制御情報DCIには、当該ユーザ装置UEが関連下りリンクコンポーネントキャリアCCの非周期的チャネル状態情報CSIを報告する必要があるかを指示し、且つ、関連下りリンクコンポーネントキャリアCCの非周期的チャネル状態情報CSIを報告するときに、当該関連下りリンクコンポーネントキャリアCCのインデックス番号と数を指示する指示情報と、符号化変調方式(MCS)インデックス番号および使用するリソースRBを含む。ここで、使用するリソースは、当該基地局が当該関連下りリンクコンポーネントキャリアCCの数に基づいて当該ユーザ装置UEに割り当てたリソースである。
【００８５】
また、基地局は、PDCCHを通じて当該下りリンク制御情報DCIを送信することができる。当該ユーザ装置UEは、当該下りリンク制御情報DCIの中の指示情報、符号化変調方式(MCS)インデックス番号および使用するリソースRBを読み取ることができる。
【００８６】
ステップ６０２では、当該ユーザ装置UEは、当該下りリンク制御情報DCIに含まれる指示情報、符号化変調方式インデックス番号および使用するリソースに基づいて非周期的チャネル状態情報CSIを送信する。
【００８７】
ユーザ装置UEは、上り制御情報UCIを通じて当該非周期的チャネル状態情報CSIを報告する。当該上り制御情報UCIは、物理上りリンク共有チャネルPUSCHを通じて基地局に伝送される。PUSCHで伝送される上り制御情報UCIは、１）当該上り制御情報UCIが単独でPUSCHで伝送される（CQI-only  PUSCH）、即ち、非周期的CSIを送信するときに、上りデータを送信しない方式と、２）当該上り制御情報UCIと上りデータを一緒にPUSCHで伝送する、即ち、非周期的CSIを送信するときに上りデータをも送信する方式、と分けることができる。ここで、当該指示情報と変調符号化方式と使用するリソースの数との特定の組合せによりどの方式を採用して当該上り制御情報UCIを送信するかを判断することができる。以下、そのプロセスについて詳しく説明する。
【００８８】
以下、当該チャネル状態情報CSIは、上り制御情報UCIに含まれ、PUSCHを介して基地局へ伝送されるのを例に説明する。また、ACK/NACK情報は、当該非周期的チャネル状態情報CSIと一緒に上り制御情報UCIを介して基地局へ伝送されるが、当該ACK/NACK情報を当該非周期的CSIと一緒に送信するか否かの判断は、従来技術と類似するため、ここでは、詳細な説明を省略する。
【００８９】
図７は、本発明の実施例５のステップ６０２を実現するためのフローチャートである。図７に示されたように、ユーザ装置UEは、以下のステップ７０１〜７０６を通じて、当該下りリンク制御情報DCIに含まれる指示情報と符号化変調方式インデックス番号および使用するリソースに基づいて非周期的CSIを送信する。
【００９０】
ステップ７０１では、ユーザ装置UEは、受信した下りリンク制御情報DCIの中の指示情報に基づいて関連下りリンクコンポーネントキャリアCCの非周期的チャネル状態情報CSIを報告する必要があるかを判断する。もし判断の結果は「はい」であれば、ステップ７０２を実行し、もし判断の結果は「いいえ」であれば、ステップ７０５を実行する。
【００９１】
ここで、当該指示情報はDCI  format  ０またはDCI  format  ４の中の２ビットの“CQIリクエスト”で伝送することができる。
【００９２】
当該ユーザ装置UEは、当該指示情報、および予め保持された、指示情報と下りリンクコンポーネントキャリアの集合との対応関係に基づいて、関連下りリンクコンポーネントキャリアCCの非周期的チャネル状態情報CSIを報告するか否かを決定する。
【００９３】
例えば、表６または表７の対応関係に基づいて、もし当該２bit情報が“００”であれば、当該ユーザ装置UEは、非周期的チャネル状態情報CSIを報告する必要がないと決定することができる；もし当該下りリンク制御情報において、２ビット指示情報が“１１/０１/１０”であれば、当該ユーザ装置UEは、非周期的チャネル状態情報CSIを報告する必要があると決定することができ、且つ、表６または表７に基づいて関連する下りリンクコンポーネントキャリアCCの数とインデックス番号を知ることができる。
【００９４】
ステップ７０２では、もしステップ７０１の判断の結果は、非周期的チャネル状態情報CSIを報告する必要があるのであれば、当該ユーザ装置UEは、当該指示情報、および予め保持した、指示情報と下りリンクコンポーネントキャリア集合との対応関係に基づいて当該関連下りリンクコンポーネントキャリアのインデックス番号と数を決定する。
【００９５】
例えば、表６または表７の対応関係と具体的な指示情報に基づいて決定することができる。例えば、表６に示されたように、もし指示情報が“０１”であると決定できれば、１つの下りリンクCCの非周期的CSIを含む上り制御情報UCIを送信すると分かるため、当該下りリンクCCのインデックス番号が１となる。
【００９６】
ステップ７０３では、決定した当該関連下りリンクコンポーネントキャリアの数、対応する符号化変調方式インデックス番号および使用するリソースに基づいて、当該非周期的CSIを含む上り制御情報UCIだけを送信するかを判断する；もし判断の結果が当該上り制御情報UCIだけを送信するのであれば、ステップ７０４を実行し、そうでなければ、ステップ７０６を実行する。
【００９７】
ここで、具体的な判断プロセスは図８に示されたようであり、以下、詳しく説明する。
【００９８】
ステップ７０４では、もしステップ７０３の判断の結果が「はい」であれば、当該ユーザ装置UEは、所定の時間内に、基地局が当該ユーザ装置UEに割り当てたリソースでPUSCHを通じて当該非周期的CSIを含む上り制御情報UCIを送信し、上りデータは同時に送信しない。
【００９９】
ここで、ユーザ装置UEは、基地局が当該ユーザ装置UEに割り当てた、当該使用するリソースで非周期的CSIを含む当該UCIを送信し、当該UCIにはさらにACK/NACK情報が含まれ、当該非周期的CSIと一緒に送信される可能性もある。
【０１００】
ステップ７０５では、もしステップ７０１の判断の結果は「いいえ」であれば、当該ユーザ装置UEは、PUSCHで上りデータだけを伝送する。
【０１０１】
ステップ７０６では、もしステップ７０３の判断の結果は「いいえ」であれば、ユーザ装置UEは、当該基地局が当該ユーザ装置に割り当てたリソースで当該非周期的CSIを含む上り制御情報UCIと上りデータを送信する。
【０１０２】
ここで、当該非周期的CSIを含む上り制御情報UCIと上りデータを送信するときに、当該非周期的CSIを含む上り制御情報UCIは、多重化方式を通じて上りデータと一緒にPUSCHで基地局に送信されることができる。即ち、当該非周期的CSIの上り制御情報を送信する際に当該上りデータの一部のリソースを利用して、当該一部のリソースは、別途にシグナルを介して指示する必要がなく、当該ユーザ装置UEと基地局が予め約束した、この状況で使用するリソースであってもよい。
【０１０３】
図８は、本発明の実施例５のステップ７０３を実現するためのフローチャートである。図８に示されたように、以下のステップ８０１〜８０７を含む。
【０１０４】
ステップ８０１では、当該関連下りリンクコンポーネントキャリアCCの数が１つまたは１つ以上であるかを判断する。もし判断の結果が１つであれば、ステップ８０２を実行する；もし判断の結果が１つ以上であれば、ステップ８０５を実行する。
【０１０５】
ステップ８０２では、当該関連下りリンクコンポーネントキャリアCCが１つであるときに、変調符号化方式インデックスが第一所定値と等しいか、且つ、使用するリソースが第一数値以下であるかをさらに判断する；もし判断の結果が「はい」であればステップ８０３を実行する；そうでなければ、ステップ８０４を実行する。
【０１０６】
ここで、当該変調符号化方式インデックスMCS=２９であり、当該使用するリソースがRB=４以下であるか。
【０１０７】
ステップ８０３では、もしステップ８０２の判断の結果は「はい」であれば、当該非周期的チャネル制御情報CSIを含む上り制御情報UCIだけを送信すると決定することができ、上りデータを送信しない。
【０１０８】
ステップ８０４では、もしステップ８０２の判断の結果は「いいえ」であれば、非周期的チャネル制御情報CSIを含む当該上り制御情報UCIと上りデータを送信すると決定することができる。
【０１０９】
ステップ８０５では、もしステップ８０１の判断の結果は、当該下りリンクコンポーネントキャリアCCの数が１つ以上であるときに、変調符号化方式インデックスが第二所定値と等しいか、且つ、使用するリソースが第二数値以下であるかをさらに判断する；もし判断の結果は「はい」であれば，ステップ８０６を実行する；そうでなければステップ８０５を実行する。
【０１１０】
ここで、当該変調符号化方式インデックスMCS=２９であり、当該使用するリソースがRB=L以下であるか；また、当該第二数値Lは当該第一数値より大きく、５または６が好ましい。
【０１１１】
ステップ８０６では、もしステップ８０５の判断の結果は「はい」であれば、当該非周期的チャネル状態情報CSIを含む上り制御情報UCIだけを送信すると判断することができ、上りデータを送信しない。
【０１１２】
ステップ８０７では、もしステップ８０５の判断の結果は「いいえ」であれば、当該非周期的チャネル状態情報CSIを含む上り制御情報UCIと上りデータを送信すると決定することができる。
【０１１３】
前記実施例から明らかなように、ユーザ装置UEは、受信した指示情報に基づいて関連下りリンクコンポーネントキャリアCCの数を決定することができ、これにより、当該下りリンクコンポーネントキャリアCCの数、変調符号化方式と使用するリソースに基づいて非周期的チャネル状態情報CSIの送信を決定することができる。また、当該非周期的チャネル状態情報CSIを上り制御情報UCIの中に含んで送信することができる。当該方法は、マルチキャリアの場合の上り制御情報の伝送に適用するため従来技術にある課題を解決することができる。
【０１１４】
本発明の実施例によれば、以下の実施例６のように、ユーザ装置が提供される。当該ユーザ装置において課題を解決する原理は、前記ユーザ装置による上り制御情報の伝送方法と類似するため、当該ユーザ装置の実施形態は方法の実施形態を参照することができ、重複部分の説明は省略する。
【０１１５】
図９は、本発明の実施例６のユーザ装置の構成を示す概略図である。図９に示されたように、当該ユーザ装置は、情報受信ユニット９０１と第二情報送信ユニット９０２を備える。
【０１１６】
情報受信ユニット９０１は、基地局から送信される下りリンク制御情報を受信し、当該下りリンク制御情報は、ユーザ装置が関連下りリンクコンポーネントキャリアの非周期的チャネル状態情報を報告するか否かを指示し、且つ関連下りリンクコンポーネントキャリアの非周期的チャネル状態情報を報告するときに関連下りリンクコンポーネントキャリアのインデックス番号と数を指示する指示情報と、符号化変調方式インデックス番号および使用するリソースを含む。ここで、使用するリソースは、基地局が関連下りリンクコンポーネントキャリアの数に基づいてユーザ装置に割り当てたリソースである。
【０１１７】
第二情報送信ユニット９０２は、下りリンク制御情報の中に含まれる指示情報、符号化変調方式インデックス番号および使用するリソースに基づいて非周期的チャネル状態情報を送信する。図１０は、図９の第二情報送信ユニットの構成を示す概略図である。図１０に示されたように、第二情報送信ユニット９０２は、第一判断ユニット１００１と、キャリア決定ユニット１００２と、第二判断ユニット１００３と、第三情報送信ユニット１００４と、第四情報送信ユニット１００５とを備える。
【０１１８】
第一判断ユニット１００１は、指示情報に基づいて関連下りリンクコンポーネントキャリアの非周期的チャネル状態情報を報告する必要があるかを判断する。
【０１１９】
キャリア決定ユニット１００２は、第一判断ユニット１００１の判断の結果として非周期的チャネル状態情報を報告する必要があるときに、指示情報、および予め保持した指示情報と下りリンクコンポーネントキャリア集合との対応関係に基づいて、関連下りリンクコンポーネントキャリアのインデックス番号と数を決定する。
【０１２０】
第二判断ユニット１００３は、キャリア決定ユニット１００２が決定した関連下りリンクコンポーネントキャリアの数、対応する符号化変調方式インデックス番号および使用するリソースに基づいて非周期的チャネル状態情報だけを送信するかを判断する。
【０１２１】
第三情報送信ユニット１００４は、第二判断ユニット１００３の判断の結果として非周期的チャネル状態情報を送信するときに上りデータを送信しない場合、基地局がユーザ装置に割り当てた、使用するリソースで非周期的チャネル状態情報を送信する。
【０１２２】
第四情報送信ユニット１００５は、第二判断ユニット１００３の判断の結果として非周期的チャネル状態情報だけではなく上りデータも送信する場合、ユーザ装置は、基地局がユーザ装置に割り当てた、使用するリソースで非周期的チャネル状態情報と上りデータを送信する。
【０１２３】
また、当該ユーザ装置UEは、記憶ユニット（図示せず）をさらに備える。当該記憶ユニットは、指示情報と下りリンクコンポーネントキャリア集合との対応関係表を記憶し、当該ユーザ装置UEの使用に供する。
【０１２４】
図１１は、図１０の第二判断ユニットの構成を示す概略図である。図１１に示されたように、第二判断ユニット１００３は、第三判断ユニット１１０１と、第四判断ユニット１１０２と、第一決定ユニット１１０３と、第二決定ユニット１１０４とを備える。
【０１２５】
第三判断ユニット１１０１は、関連下りリンクコンポーネントキャリアの数が１つまたは１つ以上であるかを判断する。
【０１２６】
第四判断ユニット１１０２は、第三判断ユニット１１０１の判断の結果として関連下りリンクコンポーネントキャリアの数が１つであるときに、下りリンク制御情報の中に含まれる符号化変調方式インデックス番号が予め設定したインデックス番号であるか、且つ使用するリソースが所定の第一数値以下であるかをさらに判断する；また、第三判断ユニット１１０１の判断の結果として関連下りリンクコンポーネントキャリアの数が１つ以上であるときに、下りリンク制御情報の中に含まれる符号化変調方式インデックス番号が予め設定したインデックス番号であるか、且つ使用するリソースが所定の第二数値以下であるかをさらに判断する；ここで、第二数値は第一数値より大きい；また、チャネル符号化率に基づいて第一数値と第二数値を決定する。
【０１２７】
第一決定ユニット１１０３は、第四判断ユニット１１０２の判断の結果が「はい」であれば、非周期的チャネル状態情報を送信するときに上りデータを送信しないと決定する。
【０１２８】
第二決定ユニット１１０４は、第四判断ユニット１１０２の判断の結果が「いいえ」であれば、非周期的チャネル状態情報を送信するときに上りデータも送信すると決定する。
【０１２９】
ここで、当該ユーザ装置UEは、上り制御情報UCIを通じて当該非周期的チャネル状態情報CSIを報告することができる。当該上り制御情報UCIは物理上りリンク共有チャネルPUSCHを通じて基地局へ伝送される。当該第二情報送信ユニット９０２の中の各機能ユニットについては、実施例５に図７と８を参照して記載された方式を採用することができるため、ここでは、詳細な説明を省略する。
【０１３０】
前記実施例から明らかなように、ユーザ装置UEは、受信した指示情報に基づいて関連下りリンクコンポーネントキャリアCCの数を決定することができる。これにより、当該下りリンクコンポーネントキャリアCCの数と、変調符号化方式と、使用するリソースに基づいて、非周期的チャネル状態情報の送信を決定することができる。当該方法は、マルチキャリアの場合の上り制御情報の伝送に適用することができるため、基地局が上り制御情報を受信する際の正確度を保証することができ、基地局のデータ伝送に対するスケジューリング限制を低減することができる。
【０１３１】
前記実施例は、LTE-Aシステムに適用でき、以下、上り制御情報UCIを通じて当該非周期的チャネル状態情報CSIを報告し、変調符号化方式インデックス番号MCS=２９であり、１つの下りリンクコンポーネントキャリアCCときに使用するリソース数、即ち第一数値L１が４RB以下であり、２つの下りリンクコンポーネントキャリアCCときに使用するリソース数、即ち、第二数値L２が５以下である場合を本発明の実施例として説明を行う。
【０１３２】
図１２は、本発明の実施例７の基地局側の上り制御情報の伝送方法を示すフローチャートである。図１２に示されたように、当該方法は、ステップ１２０１〜ステップ１２０５を含む。
【０１３３】
ステップ１２０１では、基地局はユーザ装置UEに複数組の関連下りリンクコンポーネントキャリアCCの集合を割り当て、当該指示情報と当該複数組の関連下りリンクコンポーネントキャリアCCの集合を対応付けて保持する。
【０１３４】
表６または表７に示されたように、本発明の実施例では、表６を例に説明する。
【０１３５】
ステップ１２０２では、基地局は、当該ユーザ装置UEに関連下りリンクコンポーネントキャリアCCでの非周期的CSIを報告してもらう必要があると決定したときに、例えば、下りリンクコンポーネントキャリア１と２での非周期的CSIを報告してもらう必要があると決定したときに、当該基地局は、伝送モードとシステムの要求とにらみ合わせて相応するDCIソースビットを生成する。その生成するプロセスについては、既存の技術を採用することができるため、ここでは、詳細な説明を省略する。
【０１３６】
ここで、当該DCIに指示情報“１１”を含むことができ、また、DCI  format  ０または４の中のCQIリクエストを採用して伝送することができる。また、MCS=２９で、リソース数L２=５である。
【０１３７】
ステップ１２０３では、当該基地局は、生成した当該DCIソースビットに巡回冗長検査コード（CRC：Cyclic  Redundancy  Check）を付け加える。
【０１３８】
ステップ１２０４では、CRCを付け加えたDCIソースビットについて変調符号化とレートマッチングを行う。
【０１３９】
ステップ１２０５では、物理制御チャネルPDCCHを生成し、相応する物理的時間周波数リソースにマッピングし、且つ、PDCCHを通じてユーザ装置UEに送信する。
【０１４０】
図１３は、本発明の実施例７のユーザ装置側の上り制御情報の伝送方法を示すフローチャートである。まず、ユーザ装置UEは、伝送モードに基づいて可能なDCIを検出し、それから検出したDCIに基づいて非周期的CSIを含む上り制御情報UCIを送信するか、且つ、非周期的CSIを含む上り制御情報UCIだけを送信するかを決定する。図１３に示されたように、当該方法は、具体的にステップ１３０１〜ステップ１３１１を含む。
【０１４１】
ステップ１３０１では、ユーザ装置UEは、相応する時間周波数リソースを用いてPDCCHを受信し、当該下りリンク制御情報DCIを受信する。
【０１４２】
ステップ１３０２では、当該下りリンク制御情報DCIについてレートデマッチングと復調復号を行う。
【０１４３】
ステップ１３０３では、CRCチェックが正しいかを判断する；もし判断の結果は「正しい」であれば、ステップ１３０４を実行し、そでなければステップ１３０８を実行する。
【０１４４】
ステップ１３０４では、もしステップ１３０３での判断の結果としてCRCチェックが正しいのであれば、読み取った当該下りリンク制御情報DCIの中の指示情報、MSCインデックス番号および使用するリソースに基づいて非周期的チャネル状態情報CSIを含む上り制御情報UCIを送信するかをさらに判断する；もし判断の結果が「送信する」のであれば、ステップ１３０５を実行し、そうでなければステップ１３１０を実行する。
【０１４５】
ここで、“１１”は、インデックス番号が１と２である下りリンクコンポーネントキャリアの非周期的チャネル状態情報CSIを含む上り制御情報UCIを送信することを示す。
【０１４６】
ステップ１３０５では、もしステップ１３０４での判断の結果が「正しい」のであれば、下りリンクコンポーネントキャリアCCの数をさらに決定する。
【０１４７】
上述したことから明らかなように、下りリンクコンポーネントキャリアの数が２つである。
【０１４８】
ステップ１３０６では、当該ユーザ装置UEは、下りリンクコンポーネントキャリアの数CCに基づいてそのMCSが２９と等しいか、且つ、使用するリソースRBが５以下であるかをさらに判断する；もし判断の結果は「はい」であれば、ステップ１３０６を実行し、そうでなければ、ステップ１３１１を実行する。
【０１４９】
本実施例では、L２=５であり、MCSのインデックス番号が２９であるため、判断の結果は「はい」となる。
【０１５０】
ステップ１３０７では、もしステップ１３０５での判断の結果は「はい」であれば、当該ユーザ装置UEは、所定の時間内に基地局が当該ユーザ装置UEに割り当てた当該使用するリソースで非周期的CSIを含む上り制御情報UCIを送信し、且つ、当該非周期的CSIを含む上り制御情報UCIだけを送信し、上りデータを送信しない。
【０１５１】
ステップ１３０８では、もしステップ１３０３においてCRCチェックが間違ったのであれば、最大のブラインド検出回数を超えたかを判断する。もし判断の結果は「はい」であれば、ステップ１３０９を実行し、そうでなければステップ１３０１に戻る。
【０１５２】
ステップ１３０９では、もしステップ１３０８での判断の結果は「はい」であれば、当該PDCCHを捨て、プロセスが終了する。
【０１５３】
ステップ１３１０では、もしステップ１３０４での判断の結果は「いいえ」であれば、PUSCHを通じて上りデータだけを送信し、その後、プロセスが終了する（図示せず）。
【０１５４】
ステップ１３１１では、もしステップ１３０６での判断の結果は「いいえ」であれば、PUSCHを通じて上りデータと当該非周期的チャネル状態情報CSIを含む上り制御情報UCIを送信する。
【０１５５】
ここで、非周期的CSIを含む当該上り制御情報UCIは、多重化方式により上りデータと一緒にPUSCHを通じて基地局へ送信することができる。即ち、当該非周期的CSIの上り制御情報を送信する際に当該上りデータのリソースの一部を利用した。また、この部分のリソースは、別途にシグナルを介して指示する必要がなく、この状況下で使用するリソースとして当該ユーザ装置UEと基地局が予め約束したものであっても良い。
【０１５６】
以上の実施例では、複数の下りリンクコンポーネントキャリアを例に説明してきた。もし下りリンクコンポーネントキャリアが１つであれば、ステップ１３０６での判断条件は、MCS=２９且つRBがL１=４以下であるかの判断となり、その他のプロセスは図１３と類似するため、ここでは、詳細な説明を省略する。
【０１５７】
本発明の実施例によれば、コンピュータ読み取り可能なプログラムが提供される。ここで、基地局で当該プログラムを実行するときに、当該プログラムはコンピュータに当該基地局で実施例１のリソース割り当て方法を実行させる。
【０１５８】
本発明の実施例によれば、コンピュータ読み取り可能なプログラムを記憶させた記録媒体が提供される。ここで、当該コンピュータ読み取り可能なプログラムはコンピュータに基地局で実施例１のリソース割り当て方法を実行させる。
【０１５９】
本発明の実施例によれば、コンピュータ読み取り可能なプログラムが提供される。ここで、当基地局で当該プログラムを実行するときに、当該プログラムはコンピュータに当該基地局で実施例３または７のチャネル状態情報の伝送方法を実行させる。
【０１６０】
本発明の実施例によれば、コンピュータ読み取り可能なプログラムを記憶させた記録媒体が提供される。ここで、当該コンピュータ読み取り可能なプログラムはコンピュータに基地局で実施例３または７のチャネル状態情報の伝送方法を実行させる。
【０１６１】
本発明の実施例によれば、コンピュータ読み取り可能なプログラムが提供される。ここで、ユーザ装置で当該プログラムを実行させるときに、当該プログラムはコンピュータに当該ユーザ装置で実施例４または７のチャネル状態情報の伝送方法を実行させる。
【０１６２】
本発明の実施例によれば、コンピュータ読み取り可能なプログラムを記憶させた記録媒体が提供される。ここで、当該コンピュータ読み取り可能なプログラムはコンピュータにユーザ装置で実施例４または７のチャネル状態情報の伝送方法を実行させる。
【０１６３】
上述した実施例から明らかなように、基地局は、下りリンクコンポーネントキャリアの数に基づいてユーザ装置に相応するリソースを割り当てることができるため、リソースの割り当てを柔軟に行うことができる。また、マルチキャリアの非周期チャネル状態情報を含む上り制御情報の伝送に対応でき、基地局が当該上り制御情報を受信する正確度を高め、基地局のデータ伝送へのスケジューリング限制を低減することができる。
【０１６４】
上述の本発明の装置および方法は、ハートウェアにより実現することができ、また、ハートウェアとソフトウェアの組み合わせにより実現することもできる。また、本発明はコンピュータ読み取り可能なプログラムに関し、当該プログラムがロジックコンポーネントに実行されるときに、当該ロジックコンポーネントに上述の装置又は構成要素を実現させることができ、当該ロジックコンポーネントに上述の各方法又はステップを実現させることができる。本発明は上記プログラムを記録する記録媒体に関し、例えば、ハードディスク、磁気ディスク、光ディスク、DVD、flashメモリ等を含む。
【０１６５】
以上、具体的な実施の形態を参照しながら本発明について説明を行ったが、これらの記載は例示的なものであり、本発明の保護範囲を制限するものではないことは、当業者にとって理解されるところである。また、当業者は本発明の精神と原理に基づいて本発明について種々の変更と修正を行うことができ、また、これらの変更と修正も本発明の範囲に含まれる。
【図１】
0006024818.tif 000009
【図２】
0006024818.tif 000010
【図３】
0006024818.tif 000011
【図４】
0006024818.tif 000012
【図５】
0006024818.tif 000013
【図６】
0006024818.tif 000014
【図７】
0006024818.tif 000015
【図８】
0006024818.tif 000016
【図９】
0006024818.tif 000017
【図１０】
0006024818.tif 000018
【図１１】
0006024818.tif 000019
【図１２】
0006024818.tif 000020
【図１３】
0006024818.tif 000021